(57)【要約】【課題】トレー式のローディング機構を有するディスクドライブ装置において、トレーを開く際に、カード型メディアが光学ピックアップ用の開口部から落下することを防止することができるようにする。【解決手段】制御部１０が、光カードＤが載置されたトレーを開く前に、所定位置において光学ピックアップ３のフォーカス制御を行い、フォーカスが合ったか否かに基づき光カードＤが開口部から落下する恐れがあるか否かを判別し、フォーカスが合った場合には、制御部１０が、光カードＤが開口部から落下する恐れがあると判別し、駆動部１により光カードＤを回転し、光カードＤの位置を変更し、フォーカスが合わなかった場合には、制御部１０が、光カードＤが開口部から落下する恐れがないと判断し、トレーにより光カードＤを搬出する。【選択図】　図１
2004110958.tif 000002
【特許請求の範囲】
【請求項１】
装置内への光カードの搬入および装置内からの光カードの搬出をするトレーと、
上記トレーにより装置内に搬入された光カードを回転させる駆動手段と、
上記駆動手段により回転された上記光カードに対してレーザ光を照射することにより、情報信号を記録および／または再生する光学ピックアップと、
上記光学ピックアップ、上記駆動手段および、上記トレーの動作を制御する制御手段とを備え、
上記トレーが上記光学ピックアップ用の開口部を有する光カードドライブ装置において、
上記制御手段は、回転が停止した光カードを装置内から搬出する前に、所定位置において上記光学ピックアップのフォーカス制御を行い、
フォーカスが合った場合には、上記光カードを装置内から搬出する際に上記光カードが上記開口部から落下する可能性があると判断し、上記光カードを一時的に回転することにより、上記トレー上における上記光カードの位置を変更し、
フォーカスが合わなかった場合には、上記光カードを装置内から搬出する際に上記光カードが上記開口部から落下する可能性がないと判断し、上記トレーにより上記光カードを装置内から搬出することを特徴とする光カードドライブ装置。
【請求項２】
装置内への光カードの搬入および装置内からの光カードの搬出をするトレーと、
上記トレーにより装置内に搬入された光カードを回転させる駆動手段と、
上記駆動手段により回転された上記光カードに対してレーザ光を照射することにより、情報信号を記録および／または再生する光学ピックアップと、
上記光学ピックアップ、上記駆動手段および、上記トレーの動作を制御する制御手段とを備え、
上記トレーが上記光学ピックアップ用の開口部を有する光カードドライブ装置の制御方法において、
回転が停止した光カードを装置内から搬出する前に、所定位置において上記光学ピックアップのフォーカス制御を行うステップと、
フォーカスが合った場合には、上記光カードを装置内から搬出する際に上記光カードが上記開口部から落下する可能性があると判断し、上記光カードを一時的に回転することにより、上記トレー上における上記光カードの位置を変更し、
フォーカスが合わなかった場合には、上記光カードを装置内から搬出する際に上記光カードが上記開口部から落下する可能性がないと判断し、上記トレーにより上記光カードを装置内から搬出するステップと
を備えることを特徴とする光カードドライブ装置の制御方法。
【請求項３】
装置内への光カードの搬入および装置内からの光カードの搬出をするトレーと、
上記トレーにより装置内に搬入された光カードを回転させる駆動手段と、
上記駆動手段により回転された上記光カードに対してレーザ光を照射することにより、情報信号を記録および／または再生する光学ピックアップと、
上記光学ピックアップ、上記駆動手段および、上記トレーの動作を制御する制御手段とを備え、
上記トレーが上記光学ピックアップ用の開口部を有する光カードドライブ装置において、
上記制御手段が、上記駆動手段による回転が停止された光カードを装置内から搬出する前に、所定位置において上記光学ピックアップによりレーザ光を照射し、上記レーザ光に対する反射光を受光したか否かを判別し、
反射光を受光した場合には、上記光カードを装置内から搬出する際に上記光カードが上記開口部から落下する可能性があると判断し、上記光カードを一時的に回転することにより、上記トレー上における上記光カードの位置を変更し、
反射光を受光しなかったと判別した場合には、上記光カードを装置内から搬出する際に上記光カードが上記開口部から落下する可能性がないと判断し、上記光カードを装置内から搬出することを特徴とする光カードドライブ装置。
【請求項４】
装置内への光カードの搬入および装置内からの光カードの搬出をするトレーと、
上記トレーにより装置内に搬入された光カードを回転させる駆動手段と、
上記駆動手段により回転された上記光カードに対してレーザ光を照射することにより、情報信号を記録および／または再生する光学ピックアップと、
上記光学ピックアップ、上記駆動手段および、上記トレーの動作を制御する制御手段とを備え、
上記トレーが上記光学ピックアップ用の開口部を有する光カードドライブ装置の制御方法において、
上記駆動手段による回転が停止された光カードを装置内から搬出する前に、所定位置において上記光学ピックアップによりレーザ光を照射し、上記レーザ光に対する反射光を受光したか否かを判別するステップと、
反射光を受光した場合には、上記光カードを装置内から搬出する際に上記光カードが上記開口部から落下する可能性があると判断し、上記光カードを一時的に回転することにより、上記トレー上における上記光カードの位置を変更し、
反射光を受光しなかったと判別した場合には、上記光カードを装置内から搬出する際に上記光カードが上記開口部から落下する可能性がないと判断し、上記光カードを装置内から搬出するステップと
を備えることを特徴とする光カードドライブ装置の制御方法。
【発明の詳細な説明】
【０００１】
【発明の属する技術分野】
この発明は、例えば、トレー方式のローディング機構を備えた光カードドライブ装置およびその制御方法に関する。
【０００２】
【従来の技術】
ディスクドライブ装置のローディング方式として、スロットイン方式、トレー方式、キャディ方式などが提案されているが、現在では、トレー方式が一般的になっている。
【０００３】
図８に、トレー方式のローディング機構を有するディスクドライブ装置の外観図を示す。このディスクドライブ装置は、トレーを水平にローディング／アンローディング可能に構成されている。このディスクドライブ装置では、主として、円形状の光ディスクを再生することが想定されているが、カード型メディアを再生することも可能である。カード型メディアは、矩形などの円形でない光学的記録体を意味する。
【０００４】
【発明が解決しようとする課題】
ところが、トレー方式のローディング機構を有するディスクドライブ装置では、トレーによりカード型メディアを装置内から搬出する際に、トレーに形成された光学ピックアップが配置される開口部を通じてカード型メディアが落下してしまうことがある。
【０００５】
例えば、図９に示すように、矩形状のカード型メディアの短辺側が開口部上に位置する状態で、トレーをアンローディングした場合には、トレーに形成された光学ピックアップ用の開口部にカード型メディアが落下してしまう可能性がある。
【０００６】
このようにカード型メディアが光学ピックアップ用の開口部に落下すると、トレーの開閉が不可能になるばかりではなく、ディスクドライブ装置内部の機構を破損する場合もある。このため、ユーザは、ディスクドライブ装置をサービス拠点に持っていき、ディスクドライブ装置の修理を依頼しなければならなくなる。
【０００７】
また、トレー方式のディスクドライブ装置を搭載したパーソナルコンピュータで、光学ピックアップ用の開口部にカード型メディアが落下してしまった場合には、パーソナルコンピュータ本体をサービス拠点まで持っていかなければならない。これは、ユーザにとって非常に煩わしいものであった。
【０００８】
したがって、この発明の目的は、トレー式のローディング機構を有するディスクドライブ装置において、トレーによりカード型メディアを装置内から搬出する際に、カード型メディアが光学ピックアップ用の開口部に落下することを防止することができる光カードドライブ装置およびその制御方法を提供することにある。
【０００９】
【課題を解決するための手段】
上述した課題を解決するために、本願第１の発明は、装置内への光カードの搬入および装置内からの光カードの搬出をするトレーと、
トレーにより装置内に搬入された光カードを回転させる駆動手段と、
駆動手段により回転された光カードに対してレーザ光を照射することにより、情報信号を記録および／または再生する光学ピックアップと、
光学ピックアップ、駆動手段および、トレーの動作を制御する制御手段とを備え、
トレーが光学ピックアップ用の開口部を有する光カードドライブ装置において、
制御手段は、回転が停止した光カードを装置内から搬出する前に、所定位置において光学ピックアップのフォーカス制御を行い、
フォーカスが合った場合には、光カードを装置内から搬出する際に光カードが開口部から落下する可能性があると判断し、光カードを一時的に回転することにより、トレー上における光カードの位置を変更し、
フォーカスが合わなかった場合には、光カードを装置内から搬出する際に光カードが開口部から落下する可能性がないと判断し、トレーにより光カードを装置内から搬出することを特徴とする光カードドライブ装置である。
【００１０】
本願第２の発明は、装置内への光カードの搬入および装置内からの光カードの搬出をするトレーと、
トレーにより装置内に搬入された光カードを回転させる駆動手段と、
駆動手段により回転された光カードに対してレーザ光を照射することにより、情報信号を記録および／または再生する光学ピックアップと、
光学ピックアップ、駆動手段および、トレーの動作を制御する制御手段とを備え、
トレーが光学ピックアップ用の開口部を有する光カードドライブ装置の制御方法において、
回転が停止した光カードを装置内から搬出する前に、所定位置において光学ピックアップのフォーカス制御を行うステップと、
フォーカスが合った場合には、光カードを装置内から搬出する際に光カードが開口部から落下する可能性があると判断し、光カードを一時的に回転することにより、トレー上における光カードの位置を変更し、
フォーカスが合わなかった場合には、光カードを装置内から搬出する際に光カードが開口部から落下する可能性がないと判断し、トレーにより光カードを装置内から搬出するステップと
を備えることを特徴とする光カードドライブ装置の制御方法である。
【００１１】
上述したように、この発明によれば、回転が停止した光カードを装置内から搬出する前に、所定位置において光学ピックアップのフォーカス制御を行い、フォーカスが合った場合には、トレーにより光カードを装置内から搬出する際に光カードが開口部から落下する可能性があると判断し、駆動手段により光カードを回転することによりトレー上における光カードの位置を変更し、フォーカスが合わなかった場合には、トレーにより光カードを装置内から搬出する際に光カードが開口部から落下する可能性がないと判断し、トレーにより光カードを装置内から搬出するために、光カードが開口部から落下する可能性がある状態で、トレーをアンローディングすることを回避することができる。したがって、トレーにより光カードを装置内から搬出する際に、光カードが光学ピックアップ用の開口部から落下することを防止することができる。
【００１２】
本願第３の発明は、装置内への光カードの搬入および装置内からの光カードの搬出をするトレーと、
トレーにより装置内に搬入された光カードを回転させる駆動手段と、
駆動手段により回転された光カードに対してレーザ光を照射することにより、情報信号を記録および／または再生する光学ピックアップと、
光学ピックアップ、駆動手段および、トレーの動作を制御する制御手段とを備え、
トレーが光学ピックアップ用の開口部を有する光カードドライブ装置において、
制御手段が、駆動手段による回転が停止された光カードを装置内から搬出する前に、所定位置において光学ピックアップによりレーザ光を照射し、レーザ光に対する反射光を受光したか否かを判別し、
反射光を受光した場合には、光カードを装置内から搬出する際に光カードが開口部から落下する可能性があると判断し、光カードを一時的に回転することにより、トレー上における光カードの位置を変更し、
反射光を受光しなかったと判別した場合には、光カードを装置内から搬出する際に光カードが開口部から落下する可能性がないと判断し、光カードを装置内から搬出することを特徴とする光カードドライブ装置である。
【００１３】
本願第４の発明は、装置内への光カードの搬入および装置内からの光カードの搬出をするトレーと、
トレーにより装置内に搬入された光カードを回転させる駆動手段と、
駆動手段により回転された光カードに対してレーザ光を照射することにより、情報信号を記録および／または再生する光学ピックアップと、
光学ピックアップ、駆動手段および、トレーの動作を制御する制御手段とを備え、
トレーが光学ピックアップ用の開口部を有する光カードドライブ装置の制御方法において、
駆動手段による回転が停止された光カードを装置内から搬出する前に、所定位置において光学ピックアップによりレーザ光を照射し、レーザ光に対する反射光を受光したか否かを判別するステップと、
反射光を受光した場合には、光カードを装置内から搬出する際に光カードが開口部から落下する可能性があると判断し、光カードを一時的に回転することにより、トレー上における光カードの位置を変更し、
反射光を受光しなかったと判別した場合には、光カードを装置内から搬出する際に光カードが開口部から落下する可能性がないと判断し、光カードを装置内から搬出するステップと
を備えることを特徴とする光カードドライブ装置の制御方法である。
【００１４】
上述したように、この発明によれば、回転が停止した光カードを装置内から搬出する前に、所定位置において光学ピックアップによりレーザ光を照射し、レーザ光に対する反射光を受光したか否かを判別し、反射光を受光したと判別した場合には、光カードを装置内から搬出する際に光カードが開口部から落下する可能性があると判断し、駆動手段により光カードを一時的に回転することにより、トレー上における光カードの位置を変更し、反射光を受光しなかったと判別した場合には、光カードを装置内から搬出する際に光カードが開口部から落下する可能性がないと判断し、光カードを装置内から搬出するために、光カードが開口部から落下する可能性がある状態で、トレーをアンローディングすることを回避することができる。したがって、トレーにより光カードを装置内から搬出する際に、光カードが光学ピックアップ用の開口部から落下することを防止することができる。
【００１５】
【発明の実施の形態】
以下、この発明の一実施形態について図面を参照しながら説明する。図１は、この発明の一実施形態によるディスクドライブ装置の構成の一例を示すブロック図である。このディスクドライブ装置は、図１に示すように、スピンドルモータ１、ターンテーブル２、光学ピックアップ３、スレッド機構４、ＲＦアンプ５、二値化回路６、データ復調回路７、バッファメモリ８、インターフェース回路９、システムコントローラ１０、サーボ制御回路１１、データ変調回路１２、スレッド制御回路１３、レーザ駆動回路１４、スピンドル制御回路１５および二軸制御回路１６を備える。ここで、ディスクドライブ装置は、例えばＣＤ−Ｒ（Ｃｏｍｐａｃｔ　Ｄｉｓｃ　Ｒｅｃｏｒｄａｂｌｅ）ドライブあるいはＣＤ−ＲＷ（Ｃｏｍｐａｃｔ　Ｄｉｓｃ　ＲｅＷｒｉｔａｂｌｅ）ドライブである。カード型メディアＤは、矩形状の光カードであり、例えば書き込み可能または読み出し専用のものである。
【００１６】
図２Ａは、カード型メディアＤの一例を示す平面図である。図２Ｂは、カード型メディアの一例を示す断面図である。このカード型メディアＤの中央には、センターホール３１が形成されている。また、レーザ光を照射する側の面には、カード型メディアＤをトレー上の所定位置に載置するためのリブ状の突出部３２が設けられている。
【００１７】
図３Ａは、カード型メディアＤの他の例を示す正面図である。図３Ｂは、カード型メディアの他の例を示す断面図である。このカード型メディアＤの中央にはセンターホール３１が形成されている。また、レーザ光を照射する側の面には、センターホール３１を中心として略円形状に一様に盛り上がった突出部３３が設けられている。この突出部３３は、カード型メディアＤをトレー上の所定位置に載置するために用いられる。
【００１８】
スピンドルモータ１は、ターンテーブル２に載置されたカード型メディアＤなどの光カードを、ＣＬＶ（Ｃｏｎｓｔａｎｔ　Ｌｉｎｅａｒ　Ｖｅｌｏｃｉｔｙ：線速度一定）あるいはＣＡＶ（Ｃｏｎｓｔａｎｔ　Ａｎｇｕｌａｒ　Ｖｅｌｏｃｉｔｙ：　角速度一定）で回転駆動する。
【００１９】
光学ピックアップ３は、カード型メディアＤなどの光カードの信号面にレーザ光を照射しつつ、この信号面に同心円状あるいはスパイラル状に形成されたトラックをトレースする。この光学ピックアップ３は、カード型メディアＤなどの光カードにレーザ光を照射するための半導体レーザ２１、半導体レーザ２１から照射されたレーザを集光するための対物レンズ２２、カード型メディアなどの光カードにより反射されたレーザ光を受光し、この受光したレーザ光に応じた電気信号をＲＦアンプ５に供給するフォトディテクタ２３および、フォーカス方向およびトラッキング方向に対物レンズ２２を移動するための二軸機構２４などを備える。
【００２０】
スレッド機構４は、光学ピックアップ３全体を所定方向に移動するための機構である。ＲＦアンプ５は、電流−電圧変換回路、増幅回路、マトリックス回路（ＲＦマトリックスアンプ）などを備え、フォトディテクタ２３からの信号に基づいて必要な信号を生成し、二値化回路６に供給する。ＲＦアンプ５は、例えば、再生データであるＲＦ信号、サーボ制御のためのプッシュプル信号、フォーカスエラー信号およびトラッキングエラー信号などを生成する。
【００２１】
二値化回路６は、ＲＦアンプ５から供給されたＲＦ信号を、二値化し、デジタル信号列に変換した後、データ復調回路７に供給する。データ復調回路７は、二値化回路６から供給されたデジタル信号列を、復調および所定方式に従った誤り訂正を行った後、バッファメモリ８に供給する。
【００２２】
バッファメモリ８は、データ復調回路７から供給される信号を蓄積し、この蓄積した信号を、インターフェース回路９を介して図示を省略した外部機器（例えば、パーソナルコンピュータ）に適宜供給する。
【００２３】
システムコントローラ１０は、インターフェース回路９、サーボ制御回路１１およびデータ変調回路１２などを制御する。また、システムコントローラは、トレーのローディング／アンローディングの動作などを制御する。
【００２４】
サーボ制御回路１１は、ＲＦアンプ５からのフォーカスエラー信号とトラッキングエラー信号、およびシステムコントローラ１０からの動作指令に基づき、フォーカス、トラッキング、スレッド、スピンドルの各種サーボドライブ信号を生成し、二軸制御回路１６、スレッド制御回路１３、スピンドル制御回路１５に出力する。
【００２５】
データ変調回路１２は、図示を省略した外部機器からインターフェース回路９を介して供給される信号に対して、所定方式に従った誤り訂正符号の付加とエンコード処理とを施し、レーザ駆動回路１４に供給する。
【００２６】
レーザ駆動回路１４は、データ変調回路１２から供給される信号に基づき、半導体レーザ２１を駆動する。スレッド制御回路１３は、サーボ制御回路１１から供給されるサーボドライブ信号に基づき、スレッド機構４を制御する。
【００２７】
スピンドル制御回路１５は、サーボ制御回路１１から供給されるサーボドライブ信号に基づき、スピンドルモータ１を制御する。二軸制御回路１６は、サーボ制御回路１１から供給されるサーボドライブ信号に基づき、光学ピックアップ３に備えられた二軸機構２４を制御する。
【００２８】
図４は、この発明の一実施形態によるディスクドライブ装置に備えられたトレーの一例を示す上面図である。このトレー４１には、光学ピックアップ３用の開口部４２が形成されている。また、トレー４１の光ディスクを載置する側の面には、直径１２０ｍｍの光ディスクをトレー４１上の所定位置に載置するためのディスクガイド部４３と、直径８０ｍｍの光ディスクをトレー上の所定位置に載置するためのディスクガイド部４４と、カード型メディアＤをトレー上の所定位置に載置するためのディスクガイド部４５とが形成されている。
【００２９】
図５に、トレー４１をアンローディングする直前におけるカード型メディアＤの状態の一例を示す。トレー４１をアンローディングする直前には、カード型メディアＤは静止した状態でトレー４１上に載置されている。
【００３０】
カード型メディアＤが、静止位置によっては、トレー４１によりカード型メディアＤを装置内から搬出した際に光学ピックアップ３用の開口部４２から落下する可能性がある。この落下の可能性がある位置は、開口部４２の幅ｄ、カード型メディアＤの幅（短辺の長さ）およびトレー４１をアンロードする際のカード型メディアＤの静止位置などによって規定することができる。
【００３１】
図６は、トレー４１によりカード型メディアＤを装置内から搬出する際に、カード型メディアＤが光学ピックアップ３用の開口部４２から落ちる可能性のある位置の一例を説明するためのものである。カード型メディアＤが、トレー４１のディスクガイド部４５により規定される位置から、センターホール３１を中心として反時計回りに４０°〜１４０°程度回転した位置で静止している場合、カード型メディアＤは光学ピックアップ３用の開口部４２から落ちる可能性がある。ここで、カード型メディアＤの幅（短辺の長さ）は、５８ｍｍであり、開口部の幅ｄは、６０ｍｍである。なお、これらの数値は、一例であって、トレー４１の吐き出しスピードにより大きく変化する数値であり、また、後述するレーザ光の照射位置も合わせて考慮することが必要である。
【００３２】
Ｌは、レーザ光の照射位置を示す。この照射位置Ｌは、カード型メディアＤの中心からローディング方向に向けて例えば３７．５ｍｍの位置である。この照射位置Ｌにおいて、光学ピックアップ３のフォーカス制御をすることにより、カード型メディアＤが開口部４２から落下する可能性があるか否かを判別することができる。例えば、３７．５ｍｍの位置において光学ピックアップ３のフォーカス制御をすることにより、トレー４１のディスクガイド部４５により規定される位置から、センターホール３１を中心として反時計回りに４０°〜１４０°程度回転した位置に、カード型メディアＤがあるか否かを判別することができる。
【００３３】
図７に、トレー４１をアンローディングする際のディスクドライブ装置の動作を説明するためのフローチャートを示す。このフローチャートに示す動作は、例えば、図１のシステムコントローラ１０またはディスクドライブ装置に対して接続されたコンピュータに組み込まれたソフトウェアにより実現されるものである。
【００３４】
まず、ステップＳ１において、システムコントローラ１０が、カード型メディアＤの回転を停止する。そして、ステップＳ２において、システムコントローラ１０が、光学ピックアップ３を所定位置に移動させ、レーザ光を照射する。
【００３５】
次に、ステップＳ３において、システムコントローラ１０が、光学ピックアップ３のフォーカス制御をする。そして、ステップＳ４において、システムコントローラ１０が、フォーカスが合ったか否かを判別する。フォーカスが合った場合には、カード型メディアＤが開口部４２から落下する可能性があるため、処理をステップＳ６に移す。一方、フォーカスが合わなかった場合には、カード型メディアＤが開口部４２から落下する可能性がないため、処理をステップＳ５に移す。
【００３６】
ステップＳ５において、システムコントローラ１０が、光学ピックアップ３のフォーカス制御を停止した後、トレー４１をアンローディングする。これにより、カード型メディアＤがディスクドライブ装置内から搬出される。
【００３７】
ステップＳ６において、システムコントローラ１０が、光学ピックアップ３のフォーカス制御を停止する。そして、ステップＳ７において、システムコントローラ１０が、カード型メディアＤを一時的に回転し、カード型メディアＤのトレー４１における位置を変更した後、処理をステップＳ１に戻す。
【００３８】
この発明の一実施形態によれば、以下のような効果を得ることができる。
トレー４１によりカード型メディアＤを装置内から搬出する前に、システムコントローラ１０が、所定位置において光学ピックアップ３のフォーカス制御をする。フォーカスが合った場合には、トレー４１によりカード型メディアＤを装置内から搬出する際にカード型メディアＤが開口部４２から落下する可能性があるため、システムコントローラ１０が、スピンドルモータ１によりカード型メディアＤを回転することにより、トレー４１上におけるカード型メディアＤの位置を変更する。
【００３９】
一方、フォーカスが合わなかった場合には、トレー４１によりカード型メディアＤを装置内から搬出する際にカード型メディアＤが開口部４２から落下する可能性がないため、システムコントローラ１０が、トレー４１によりカード型メディアＤを装置内から搬出する。これにより、カード型メディアＤが開口部４２から落下する可能性がある状態で、トレー４１をアンローディングすることを回避することができる。したがって、ディスクドライブ装置内からカード型メディアＤを搬出する際に、カード型メディアＤが光学ピックアップ３用の開口部４２に落下することを防止することができる。
【００４０】
また、トレー４１によりカード型メディアＤを装置内から搬出する際にカード型メディアＤが開口部４２から落下する可能性があるか否かを判別する処理を、ソフトウェアの変更のみで実現することができる。このため、ディスクドライブ装置のコストの上昇を招くことなく、トレー４１によりカード型メディアＤを装置内から搬出する際にカード型メディアＤが開口部４２から落下することを回避することができる。
【００４１】
以上、この発明の一実施形態について具体的に説明したが、この発明は、上述の一実施形態に限定されるものではなく、この発明の技術的思想に基づく各種の変形が可能である。
【００４２】
例えば、上述の一実施形態において挙げた数値はあくまでも例に過ぎず、必要に応じてこれと異なる数値を用いてもよい。
【００４３】
また、上述した一実施形態においては、光学ピックアップ３のフォーカス制御をすることにより、トレー４１によりカード型メディアＤを装置内から搬出する際にカード型メディアＤが光学ピックアップ３用の開口部４２に落下する可能性があるか否かを判別する例について示したが、カード型メディアＤが光学ピックアップ３用の開口部４２に落下する可能性があるか否かを判別する方法はこの例に限られるものではない。
【００４４】
例えば、システムコントローラ１０が、トレー４１によりカード型メディアＤを装置内から搬出する前に、所定位置において光学ピックアップ３によりレーザ光を照射し、このレーザ光に対する反射光を受光したか否かを判別する。反射光を受光したと判別した場合には、カード型メディアＤが開口部４２から落下する可能性があるため、システムコントローラ１０が、スピンドルモータ１によりカード型メディアＤを回転することにより、トレー４１上におけるカード型メディアＤの位置を変更する。反射光を受光しなかったと判別した場合には、カード型メディアＤが開口部４２から落下する可能性がないため、システムコントローラ１０が、トレー４１によりカード型メディアＤを装置内から搬出する。
【００４５】
また、上述した一実施形態においては、光カードがカード型メディアＤである場合を例として示したが、この発明は、カード型メディアＤに限定されるものでないことは言うまでもない。
【００４６】
また、この発明は、ＤＶＤ−ＲＯＭドライブ装置、ＤＶＤ−ＲＡＭドライブ装置およびＤＶＤ−Ｒドライブ装置などのＤＶＤドライブ装置に適用可能であることは言うまでもない。また、この発明は、ＣＤ−ＲＯＭドライブ装置に適用可能であることも言うまでもない。
【００４７】
【発明の効果】
以上説明したように、この発明によれば、トレーにより光カードを装置内から搬出する際に、光カードが光学ピックアップ用の開口部から落下することを防止することができる。
【図面の簡単な説明】
【図１】この発明の一実施形態によるディスクドライブ装置の構成の一例を示すブロック図である。
【図２】カード型メディアの一例を示す正面図および断面図である。
【図３】カード型メディアの他の例を示す正面図および断面図である。
【図４】この発明の一実施形態によるディスクドライブ装置に備えられたトレーの一例を示すの上面図である。
【図５】この発明の一実施形態によるディスクドライブ装置のトレーをアンローディングする直前におけるカード型メディアの状態の一例を示す上面図である。
【図６】この発明の一実施形態によるディスクドライブ装置のトレーをアンローディングした際に、カード型メディアが光学ピックアップ用の開口部に落ちる可能性のある位置の一例を示す上面図である。
【図７】この発明の一実施形態によるディスクドライブ装置の動作を説明するためのフローチャートである。
【図８】従来のディスクドライブ装置の外観図である。
【図９】従来のディスクドライブ装置の外観図である。
【符号の説明】
１・・・スピンドルモータ、２・・・ターンテーブル、３・・・光学ピックアップ、４・・・スレッド機構、５・・・ＲＦアンプ、６・・・二値化回路、７・・・データ復調回路、８・・・バッファメモリ、９・・・インターフェース回路、１０・・・システムコントローラ、１１・・・サーボ制御回路、１２・・・データ変調回路、１３・・・スレッド制御回路、１４・・・レーザ駆動回路、１５・・・スピンドル制御回路、１６・・・二軸制御回路
【図１】
2004110958.tif 000003
【図２】
2004110958.tif 000004
【図３】
2004110958.tif 000005
【図４】
2004110958.tif 000006
【図５】
2004110958.tif 000007
【図６】
2004110958.tif 000008
【図７】
2004110958.tif 000009
【図８】
2004110958.tif 000010
【図９】
2004110958.tif 000011